(57)【特許請求の範囲】
【請求項１】
擁壁構造体であって、
擁壁を構成する複数の壁面材と、
略直線状の棒状の連結部材と、
前記壁面材の背面における固定部に固定され、前記連結部材の一端を水平方向に回転可能に支持するコネクタと、
前記連結部材の他端に接続されるアンカー部材と、
前記壁面材の前記背面側における前記アンカー部材上に堆積されて前記アンカー部材を固定する堆積物と、を備え、
鉛直方向視で、前記連結部材の軸線は前記壁面材の背面に直交する方向に対して傾いており、かつ、前記連結部材の軸線の略延長線上に前記固定部が位置している、擁壁構造体。
【請求項２】
擁壁構造体の壁面材と連結部材とを接続するコネクタであって、
挿通孔が形成された基礎部材と、
前記挿通孔に挿通されて前記基礎部材を前記壁面材に固定する固定具と、
前記基礎部材から前記壁面材とは反対側に突出し、鉛直方向に互いに対向する一対の平板部材と、
前記一対の平板部材の間を鉛直方向に延び、前記一対の平板部材の間に挿入される前記連結部材の一端を回転可能に支持する鉛直部材と、を備える、コネクタ。
【請求項３】
請求項２に記載のコネクタであって、
前記基礎部材は、２つの板状部分を含み、断面Ｌ字型の鋼材であり、
各前記平板部材は、前記基礎部材の前記２つの板状部分に固定されている、コネクタ。
【請求項４】
擁壁構造体であって、
擁壁を構成する複数の前記壁面材と、
略直線状の棒状の前記連結部材と、
前記壁面材の背面に固定される請求項２または請求項３に記載のコネクタと、
前記連結部材の他端に接続されるアンカー部材と、
前記壁面材の前記背面側における前記アンカー部材上に堆積されて前記アンカー部材を固定する堆積物と、を備える、擁壁構造体。
【請求項５】
請求項１または請求項４に記載の擁壁構造体であって、
前記連結部材の前記一端は、前記コネクタに対して鉛直方向に回転不能に支持され、
前記連結部材は、
前記一端を含む第１棒状部分と、
前記他端を含む第２棒状部分と、
前記第１棒状部分と前記第２棒状部分とを鉛直方向に回転可能に連結する第１ヒンジ部と、を有する、擁壁構造体。
【請求項６】
請求項１、請求項４、請求項５のいずれか一項に記載の擁壁構造体であって、
前記連結部材は、
前記一端を含む第１棒状部分と、
前記他端を含む第２棒状部分と、
前記第１棒状部分と前記第２棒状部分とを水平方向に回転可能に連結する第２ヒンジ部と、を有する、擁壁構造体。
【請求項７】
請求項１、請求項４、請求項５、請求項６のいずれか一項に記載の擁壁構造体であって、
前記連結部材と、前記コネクタと、前記アンカー部材との組み合わせを、複数組備える、擁壁構造体。
【請求項８】
擁壁構造体の製造方法であって、
擁壁を構成する複数の壁面材を設置する工程と、
前記壁面材の背面における固定部にコネクタを固定する工程と、
連結部材の一端が水平方向に回転可能に支持されるように前記連結部材の前記一端を前記コネクタに接続する工程と、
鉛直方向視で、前記連結部材の軸線が前記壁面材の背面に直交する方向に対して傾き、かつ、前記連結部材の軸線の略延長線上に前記固定部が位置するように水平方向における前記連結部材の設置位置を調整する工程と、
前記壁面材の前記背面側であって、前記連結部材の他端に接続されるアンカー部材上に堆積物を堆積させて前記アンカー部材を固定する工程と、を備える、製造方法。
【発明の詳細な説明】
【技術分野】
【０００１】
本明細書に開示される技術は、擁壁構造体に関する。
【背景技術】
【０００２】
高速道路やダムなどを構築する際に施工される盛土の崩落を防ぐための擁壁構造体が知られている（例えば、特許文献１参照）。擁壁構造体は、壁面材と、連結部材（「タイバー」とも呼ばれる）と、コネクタと、アンカープレートとを備える。壁面材は、盛土を支える擁壁を構成する。コネクタは、壁面材の背面に固定される。連結部材は、棒状部材であり、一端がコネクタに支持され、他端がアンカープレートに接続される。擁壁構造体では、連結部材とアンカープレートとが、壁面材の背面側の盛土内に埋設され、盛土によりアンカープレートが固定されることで、連結部材およびコネクタを介してアンカープレートに接続された壁面材の前面側への移動が抑制される。
【０００３】
従来より、連結部材がボックスカルバートなどの支障物と干渉する場合、略水平方向において連結部材の角度調整を行う自在ロッドアイが用いられている。自在ロッドアイは、コネクタに対して、鉛直方向視で壁面材に対して略直交するように連結される。また、連結部材は、コネクタに連結された自在ロッドアイに対して、水平方向に回転可能に連結される。自在ロッドアイを用いることにより、連結部材を鉛直方向視で壁面材に対して直交する方向とは異なる方向、すなわち、壁面材に対して傾いた方向に配置することができ、支障物がある場合でも連結部材を配置することができる。
【先行技術文献】
【特許文献】
【０００４】
【特許文献１】特開２０１２−６２６２５号公報
【発明の概要】
【発明が解決しようとする課題】
【０００５】
上記従来技術のように、連結部材を壁面材に対して傾いた方向に配置すると、自在ロッドアイとコネクタとの固定部が連結部材の軸線の延長線からずれた位置に配置されることになるため、連結部材に作用する軸方向の引張力により該固定部に曲げモーメントが作用し、自在ロッドアイやコネクタが損傷するおそれがある。また、自在ロッドアイと連結部材とが一直線状に配置されていないことになるため、壁面材に作用する盛土の土圧により自在ロッドアイと連結部材とが一直線状になろうとして、壁面材が前面側に押し出されるおそれがある。
【０００６】
本明細書では、上述した課題の少なくとも一部を解決することが可能な技術を開示する。
【課題を解決するための手段】
【０００７】
（１）本明細書に開示される擁壁構造体は、擁壁構造体であって、擁壁を構成する複数の壁面材と、略直線状の棒状の連結部材と、前記壁面材の背面における固定部に固定され、前記連結部材の一端を水平方向に回転可能に支持するコネクタと、前記連結部材の他端に接続されるアンカー部材と、前記壁面材の前記背面側における前記アンカー部材上に堆積されて前記アンカー部材を固定する堆積物と、を備え、鉛直方向視で、前記連結部材の軸線の略延長線上に前記固定部が位置している。本擁壁構造体によれば、連結部材がコネクタに支持され、かつ、鉛直方向視で、連結部材の軸線の略延長線上に、コネクタと壁面材との固定部が位置している。そのため、連結部材に軸方向の引張力が作用した場合でも、該固定部や連結部材をコネクタに支持する支持部に曲げモーメントが作用することがなく、コネクタが損傷するのを抑制することができる。また、連結部材と固定部とが略一直線状に配置されることになるため、壁面材に盛土の土圧が作用しても壁面材が前面側に押し出されるのを抑制することができる。
【０００８】
（２）本明細書に開示されるコネクタは、擁壁構造体の壁面材と連結部材とを接続するコネクタであって、挿通孔が形成された基礎部材と、前記挿通孔に挿通されて前記基礎部材を前記壁面材に固定する固定具と、前記基礎部材から前記壁面材とは反対側に突出し、鉛直方向に互いに対向する一対の平板部材と、前記一対の平板部材の間を鉛直方向に延び、前記一対の平板部材の間に挿入される前記連結部材の一端を回転可能に支持する鉛直部材と、を備える。本コネクタによれば、連結部材を壁面材に対して傾いた方向に配置した場合でも、基礎部材に形成される挿通孔の位置や、一対の平板部材の間に設けられる鉛直部材の位置を調整することで、鉛直方向視で、連結部材の軸線の略延長線上に挿通孔を配置することができる。そのため、連結部材に軸方向の引張力が作用した場合でも、壁面材にコネクタを固定する固定部や鉛直部材に曲げモーメントが作用することがなく、コネクタが損傷するのを抑制することができる。また、連結部材と挿通孔とが略一直線状に配置されることになるため、壁面材に盛土の土圧が作用しても壁面材が前面側に押し出されるのを抑制することができる。
【０００９】
（３）上記コネクタにおいて、前記基礎部材は、２つの板状部分を含み、断面Ｌ字型の鋼材であり、各前記平板部材は、前記基礎部材の前記２つの板状部分に固定されている構成としてもよい。本コネクタによれば、各平板部材は、基礎部材の２つの板状部分に固定されている。そのため、各平板部材が、基礎部材の１つの板状部分のみに固定されている場合に比べて、各平板部材を基礎部材に強固に固定することができる。
【００１０】
（４）本明細書に開示される擁壁構造体は、擁壁構造体であって、擁壁を構成する複数の前記壁面材と、略直線状の棒状の前記連結部材と、前記壁面材の背面に固定される上記コネクタと、前記連結部材の他端に接続されるアンカー部材と、前記壁面材の前記背面側における前記アンカー部材上に堆積されて前記アンカー部材を固定する堆積物と、を備える。本擁壁構造体によれば、連結部材を壁面材に対して傾いた方向に配置した場合でも、基礎部材に形成される挿通孔の位置や、一対の平板部材の間に設けられる鉛直部材の位置を調整することで、鉛直方向視で、連結部材の軸線の略延長線上に挿通孔を配置することができる。そのため、連結部材に軸方向の引張力が作用した場合でも、壁面材にコネクタを固定する固定部や鉛直部材に曲げモーメントが作用することがなく、コネクタが損傷するのを抑制することができる。また、連結部材と挿通孔とが略一直線状に配置されることになるため、壁面材に盛土の土圧が作用しても壁面材が前面側に押し出されるのを抑制することができる。
【００１１】
（５）上記擁壁構造体において、前記連結部材の前記一端は、前記コネクタに対して鉛直方向に回転不能に支持され、前記連結部材は、前記一端を含む第１棒状部分と、前記他端を含む第２棒状部分と、前記第１棒状部分と前記第２棒状部分とを鉛直方向に回転可能に連結する第１ヒンジ部と、を有する構成としてもよい。本擁壁構造体によれば、連結部材に、連結部材の第１棒状部分と連結部材の第２棒状部分とを鉛直方向に回転可能に連結する第１ヒンジ部が設けられている。そのため、堆積物が沈下した場合でも、第１ヒンジ部により堆積物の沈下に連結部材を追随させることができる。
【００１２】
（６）上記擁壁構造体において、前記連結部材は、前記一端を含む第１棒状部分と、前記他端を含む第２棒状部分と、前記第１棒状部分と前記第２棒状部分とを水平方向に回転可能に連結する第２ヒンジ部と、を有する構成としてもよい。本擁壁構造体によれば、連結部材に、連結部材の第１棒状部分と連結部材の第３棒状部分とを水平方向に回転可能に連結する第２ヒンジ部が設けられている。そのため、堆積物の弾性力により連結部材に若干の水平方向の曲げモーメントが作用した場合でも、第２ヒンジ部により曲げモーメントを緩和することができる。
【００１３】
（７）上記擁壁構造体において、前記連結部材と、前記コネクタと、前記アンカー部材との組み合わせを、複数組備える構成としてもよい。本擁壁構造体によれば、上記組み合わせを単数組備える構成に比べて、擁壁の広い範囲において、コネクタの損傷と、壁面材の前面側への押し出しを抑制することができる。
【００１４】
（８）本明細書に開示される製造方法は、擁壁構造体の製造方法であって、擁壁を構成する複数の壁面材を設置する工程と、前記壁面材の背面における固定部にコネクタを固定する工程と、連結部材の一端が水平方向に回転可能に支持されるように前記連結部材の前記一端を前記コネクタに接続する工程と、鉛直方向視で、前記連結部材の軸線の略延長線上に前記固定部が位置するように水平方向における前記連結部材の設置位置を調整する工程と、前記壁面材の前記背面側であって、前記連結部材の他端に接続されるアンカー部材上に堆積物を堆積させて前記アンカー部材を固定する工程と、を備える。本製造方法によれば、連結部材がコネクタに支持され、かつ、鉛直方向視で、連結部材の軸線の略延長線上に、コネクタと壁面材との固定部が位置するように、水平方向における連結部材の設置位置が調整される。そのため、連結部材に軸方向の引張力が作用した場合でも、該固定部や連結部材をコネクタに支持する支持部に曲げモーメントが作用することがなく、コネクタが損傷するのを抑制することができる。また、連結部材と固定部とが略一直線状に配置されることになるため、壁面材に盛土の土圧が作用しても壁面材が前面側に押し出されるのを抑制することができる。
【００１５】
なお、本明細書に開示される技術は、種々の形態で実現することが可能であり、例えば、連結部材の設置位置の調整方法等の形態で実現することが可能である。
【図面の簡単な説明】
【００１６】
【図１】補強土壁構造の構造体１００の構成を概略的に示す説明図
【図２】補強土壁構造の構造体１００の斜視図
【図３】コネクタ２０の斜視図
【図４】補強土壁構造の構造体１００の製造方法を示すフローチャート
【図５】壁面材１２Ａ，１２Ｂに形成されたネジ孔１６と、タイバー５０との鉛直方向視における位置関係を概略的に示す説明図
【発明を実施するための形態】
【００１７】
Ａ．第１実施形態：
Ａ−１．補強土壁構造の構造体１００の構成：
図１は、本実施形態における補強土壁構造の構造体１００の構成を概略的に示す説明図であり、図２は、補強土壁構造の構造体１００の斜視図である。図１には、補強土壁構造の構造体１００の鉛直断面が示されている。図２には、補強土壁構造の構造体１００の一部の構成が示されている。図２では、盛土８６の図示を省略している。図１、２には、方向を特定するための互いに直交するＸＹＺ軸が示されている。本明細書では、便宜的に、Ｘ軸正方向を前側と呼び、Ｘ軸負方向を後側と呼び、Ｙ軸正方向を右側と呼び、Ｙ軸負方向を左側と呼び、Ｚ軸正方向を上側と呼び、Ｚ軸負方向を下側と呼ぶものとする。図３以降についても同様である。構造体１００は、擁壁構造体の一例である。
【００１８】
補強土壁構造の構造体１００は、高速道路やダムなどを構築する際に使用する盛土８６の崩落を防ぐものであり、複数の壁面材１２と、コネクタ２０と、タイバー５０と、アンカープレート６０と、盛土８６とを備える。複数の壁面材１２は、盛土８６を支える擁壁１０を構成するものであり、地盤７０上に設置されている。具体的には、地盤７０に埋設された基礎材７４上に基礎７６が形成され、基礎７６上に複数の壁面材１２が設置されている。複数の壁面材１２は、左右方向に複数並べて配置されるとともに、上下方向に複数積層して配置されている。これにより、左右方向および上下方向に広がる擁壁１０が形成される。補強土壁構造の構造体１００では、複数の壁面材１２に対応させて、コネクタ２０と、タイバー５０と、アンカープレート６０との組み合わせであるアンカー構造体９０（図２参照）が、複数組設けられている。
【００１９】
コネクタ２０は、壁面材１２とタイバー５０とを連結するものであり、ボルト４２により壁面材１２に固定されている。具体的には、コネクタ２０は、壁面材１２の背面１４に設けられたネジ孔１６に固定されている。例えば、第１コネクタ２０Ａは、上下方向に積層して配置される第１壁面材１２Ａと第２壁面材１２Ｂとの境界部分の背面１４側に配置され、第１壁面材１２Ａと第２壁面材１２Ｂとに固定されている。これにより、第１壁面材１２Ａと第２壁面材１２Ｂとが第１コネクタ２０Ａにより連結される。コネクタ２０の詳細な構成について後述する。壁面材１２の背面１４上に位置するネジ孔１６の開口部分上の任意の点は、固定部の一例である。
【００２０】
タイバー５０は、棒状の部材であり、略前後方向に延びるように配置されている。タイバー５０の前端５２は、ボルト４４及びナット４６によりコネクタ２０に接続されている。タイバー５０の後端５４は、壁面材１２から離間する位置に配置されている。タイバー５０は、連結部材の一例であり、タイバー５０の前端５２は、連結部材の一端の一例であり、タイバー５０の後端５４は、連結部材の他端の一例である。
【００２１】
タイバー５０は、前側棒状部分５５と、後側棒状部分５７と、中間棒状部分５９と、第１ヒンジ部５６と、第２ヒンジ部５８とを含む。前側棒状部分５５は、タイバー５０の前側の部分であり、前端５２を含む。後側棒状部分５７は、タイバー５０の後側の部分であり、後端５４を含む。中間棒状部分５９は、タイバー５０の中間部分であり、前側棒状部分５５と後側棒状部分５７との間に配置されている。
【００２２】
第１ヒンジ部５６は、タイバー５０の中間棒状部分５９と後側棒状部分５７との間に設けられている。第１ヒンジ部５６は、タイバー５０の前側棒状部分５５および中間棒状部分５９とタイバー５０の後側棒状部分５７とを鉛直方向に回転可能に連結する連結部分である。タイバー５０の前側棒状部分５５および中間棒状部分５９は、第１ヒンジ部に対する第１棒状部分の一例であり、タイバー５０の後側棒状部分５７は、第１ヒンジ部に対する第２棒状部分の一例である。
【００２３】
第２ヒンジ部５８は、タイバー５０の前側棒状部分５５と中間棒状部分５９との間に設けられている。第２ヒンジ部５８は、タイバー５０の前側棒状部分５５とタイバー５０の中間棒状部分５９および後側棒状部分５７とを水平方向に回転可能に連結する連結部分である。本実施形態では、前側棒状部分５５と、後側棒状部分５７と、中間棒状部分５９とが略直線状となるように、第１ヒンジ部５６と第２ヒンジ部５８との連結角度が調整されている。タイバー５０の前側棒状部分５５は、第２ヒンジ部に対する第１棒状部分の一例であり、タイバー５０の中間棒状部分５９および後側棒状部分５７は、第２ヒンジ部に対する第２棒状部分の一例である。
【００２４】
アンカープレート６０は、板状部材であり、タイバー５０の後端５４に接続されている。つまり、アンカープレート６０は、タイバー５０の壁面材１２から離間する側の端部に接続されている。アンカープレート６０は、アンカー部材の一例である。
【００２５】
盛土８６は、地盤７０上に盛土７８，８０，８２，８４がこの順に積層されたものであり、壁面材１２の背面１４側に堆積される。盛土８６の一部は、壁面材１２の背面１４側に配置されたタイバー５０およびアンカープレート６０上に堆積される。これにより、アンカープレート６０は、移動不能に固定される。盛土８６は、堆積物の一例である。
【００２６】
Ａ−２．コネクタ２０の構成：
図３は、コネクタ２０の斜視図である。図１〜３に示すように、コネクタ２０は、基礎部材２２と、ボルト４２と、平板部４０と、ボルト４４と、ナット４６と、上側カバー部２８と、下側カバー部３０とを備える。基礎部材２２は、上下方向に直交する断面形状が断面Ｌ字型の鋼材であり、互いに直交して配置される２つの板状部分（前側板状部分２１および左側板状部分２３）を備える。以下の説明では、前側板状部分２１と左側板状部分２３とをまとめて板状部分２１，２３という。前側板状部分２１は、コネクタ２０を壁面材１２に固定する際に壁面材１２の背面１４に当接する部分であり、コネクタ２０を壁面材１２に固定するボルト４２（図１参照）が挿通する挿通孔３２，３４が形成されている。挿通孔３２，３４を挿通するボルト４２により、コネクタ２０が壁面材１２のネジ孔１６に固定される。左側板状部分２３は前側板状部分２１の左側端部から前側に突出している。ボルト４２は、固定具の一例である。
【００２７】
平板部４０は、一対の平板部材２４，２６を有する。一対の平板部材２４，２６は、タイバー５０の前端５２を支持する部分であり、基礎部材２２の前側板状部分２１から前側、つまり、壁面材１２とは反対側に突出している。平板部材２４，２６は、略矩形状の平鋼材であり、鉛直方向に互いに対向して配置される。平板部材２４，２６は、上下方向に離間して互いに平行に配置されており、平板部材２４，２６の間には、タイバー５０の前端５２が挿入可能な空間２５が確保されている。平板部材２４，２６は、水平方向に平行となるように、基礎部材２２の前側板状部分２１と左側板状部分２３とに溶接により固定されている。
【００２８】
平板部材２４，２６は、上側平板部材２４と下側平板部材２６とを含む。上側平板部材２４には、上下方向に貫通する挿通孔３６が形成されており、下側平板部材２６には、上下方向に貫通する挿通孔３８が形成されている。上側平板部材２４に形成された挿通孔３６と、下側平板部材２６に形成された挿通孔３８とは、鉛直方向に並んで配置されている。タイバー５０の前端５２は、リング状となっており、その中央を上下方向に貫通する挿通孔５３が形成されている（図５参照）。タイバー５０の前端５２をコネクタ２０に接続する際には、上側平板部材２４の挿通孔３６と、タイバー５０の挿通孔５３と、下側平板部材２６の挿通孔３８とに対して、ボルト４４をこの順に鉛直方向に挿通させてナット４６締めする（図１参照）。これにより、タイバー５０の前端５２は、ボルト４４周りに、つまり、コネクタ２０に対して水平方向に回転可能に支持されるとともに、鉛直方向に回転不能に支持される。ボルト４４は、鉛直部材の一例である。
【００２９】
上側カバー部２８は、略矩形状の平鋼材であり、上側平板部材２４の上側に配置されている。上側カバー部２８は、基礎部材２２の前側板状部分２１から前側に向かって水平方向に突出するように、基礎部材２２の前側板状部分２１と左側板状部分２３とに溶接により固定されている。上側カバー部２８は、基礎部材２２の前側板状部分２１と左側板状部分２３の上端部近傍に固定され、基礎部材２２の形状を保持している。
【００３０】
下側カバー部３０は、略矩形状の平鋼材であり、下側平板部材２６の下側に配置されている。下側カバー部３０は、基礎部材２２の前側板状部分２１から前側に向かって水平方向に突出するように、基礎部材２２の前側板状部分２１と左側板状部分２３とに溶接により固定されている。下側カバー部３０は、基礎部材２２の前側板状部分２１と左側板状部分２３の下端部近傍に固定され、基礎部材２２の形状を保持している。
【００３１】
なお、コネクタ２０に引張試験を行った結果、コネクタ２０の引張荷重がコネクタ２０の設計引張力を超えていること、試験中にコネクタ２０に目視で認められる変形は生じておらず、試験後の残留変形も認められなかったことから、コネクタ２０には十分な強度と剛性を有していることが確認された。また上記試験において、コネクタ２０の板状部分２１，２３と平板部材２４，２６との間の溶接部分において、破損は認められなかった。
【００３２】
Ａ−３．補強土壁構造の構造体１００の製造方法：
次に、本実施形態における補強土壁構造の構造体１００の製造方法を説明する。図４は、本実施形態における補強土壁構造の構造体１００の製造方法を示すフローチャートである。
【００３３】
はじめに、基礎７６上に最下層の第１壁面材１２Ａを設置し（Ｓ１１０）、第１壁面材１２Ａの後側の地盤７０上に盛土７８を堆積する（Ｓ１２０）。次に、第１壁面材１２Ａ上に第２壁面材１２Ｂを設置する（Ｓ１３０）。
【００３４】
次に、第１壁面材１２Ａと第２壁面材１２Ｂとに第１コネクタ２０Ａを固定し、第１コネクタ２０Ａに対してアンカープレート６０が取り付けられたタイバー５０を接続する（Ｓ１４０）。第１コネクタ２０Ａに接続されたタイバー５０は、盛土７８上に配置される。本実施形態では、盛土７８の高さが第１コネクタ２０Ａの一対の平板部材２４，２６の高さと略等しくなるように調整されている。そのため、第１コネクタ２０Ａに接続されたタイバー５０が、盛土７８上に配置されても、第１コネクタ２０Ａの平板部材２４，２６やタイバー５０の前端５２に、上下方向の曲げモーメントが作用することが抑制されている。
【００３５】
次に、タイバー５０の設置位置を調整する（Ｓ１５０）。タイバー５０の設置位置は、地盤７０上に存在するボックスカルバートなどの支障物を考慮して予め設定されている。タイバー５０は、予め設定された設置位置となるように、壁面材１２Ａ，１２Ｂに対するタイバー５０の水平方向の角度が調整される。
【００３６】
図５に、調整後のタイバー５０の設置位置を示す。図５には、壁面材１２Ａ，１２Ｂに形成されたネジ孔１６と、タイバー５０との鉛直方向視における位置関係が概略的に示されている。図５には、タイバー５０の軸線をタイバー５０の軸方向に延長させた軸延長線ＬＡが示されている。軸延長線ＬＡは、タイバー５０の前側棒状部分５５の軸線をタイバー５０の軸方向に延長させた軸延長線である。図５に示す例では、鉛直方向視で、タイバー５０が、壁面材１２Ａ，１２Ｂに直交する方向から右側に傾けて配置されている。
【００３７】
図５に示すように、本実施形態では、ネジ孔１６の開口部分の位置に基づいて、タイバー５０の設置位置が調整される。タイバー５０は、鉛直方向視で、タイバー５０の軸延長線ＬＡ上に、ネジ孔１６の開口部分が位置するように調整されるのが望ましい。具体的には、鉛直方向視で、ネジ孔１６の開口部分の中心と、タイバー５０の前端５２が支持されるボルト４４の中心とを結ぶ連結直線ＬＢが、タイバー５０の軸延長線ＬＡと等しくなるように、タイバー５０の設置位置が調整されるのが望ましい。これに対応させて、第１コネクタ２０Ａでは、タイバー５０の上記設置位置に対応させて、基礎部材２２に形成される挿通孔３２，３４と、一対の平板部材２４，２６に形成される挿通孔３６，３８との形成位置が調整されているのが望ましい。なお、本実施形態では、タイバー５０は、鉛直方向視で、タイバー５０の軸延長線ＬＡ上に、ネジ孔１６の開口部分が位置するように調整され、タイバー５０の軸延長線ＬＡ上に、ネジ孔１６の開口部分が位置するように、コネクタ２０の基礎部材２２に形成される挿通孔３２，３４と、一対の平板部材２４，２６に形成される挿通孔３６，３８との形成位置が調整されている。
【００３８】
次に、盛土７８上に盛土８０を積層する（Ｓ１６０）。盛土８０は、タイバー５０やアンカープレート６０上にも堆積される。盛土８０は、調整されたタイバー５０の設置位置が変動しないように慎重に積層され、締め固められる。これにより、タイバー５０とアンカープレート６０とは、盛土７８と盛土８０との間に埋設され、アンカープレート６０は、盛土８０によって固定される。
【００３９】
Ｓ１３０〜Ｓ１６０までの処理を、壁面材１２Ｃ，１２Ｄについて繰り返す（Ｓ１７０）。以上により、補強土壁構造の構造体１００の製造方法が終了する。
【００４０】
Ａ−４．本実施形態の効果：
以上説明したように、本実施形態の補強土壁構造の構造体１００によれば、タイバー５０がコネクタ２０に支持され、かつ、鉛直方向視で、タイバー５０の軸延長線ＬＡ上に、コネクタ２０と壁面材１２との固定部であるネジ孔１６の開口部分が位置している。そのため、盛土８６の土圧により壁面材１２が前側に押され、これによりタイバー５０に軸方向の引張力が作用した場合でも、コネクタ２０の挿通孔３２，３４や挿通孔３６，３８に水平方向の曲げモーメントが作用することがない。これにより、コネクタ２０が曲げモーメントにより損傷するのを抑制することができる。
【００４１】
また、本実施形態の補強土壁構造の構造体１００によれば、タイバー５０とネジ孔１６の開口部分とが一直線状に配置されることになるため、壁面材１２に盛土８６の土圧が作用しても壁面材１２が前側に押し出されるのを抑制することができる。
【００４２】
また、本実施形態の補強土壁構造の構造体１００によれば、タイバー５０の軸延長線ＬＡ上に、ネジ孔１６の開口部分が位置するように、コネクタ２０の基礎部材２２に形成される挿通孔３２，３４と、一対の平板部材２４，２６に形成される挿通孔３６，３８との形成位置が調整されている。そのため、タイバー５０の軸延長線ＬＡ上に、ネジ孔１６の開口部分を配置することができ、コネクタ２０が曲げモーメントにより損傷するのを抑制することができるとともに、壁面材１２に盛土８６の土圧が作用しても壁面材１２が前側に押し出されるのを抑制することができる。
【００４３】
また、本実施形態の補強土壁構造の構造体１００によれば、タイバー５０の前端５２がボルト４４まわりに回転可能に支持されることで、コネクタ２０に対して水平方向に回転可能に支持されている。そのため、コネクタ２０に対してタイバー５０を水平方向に回転させて設定位置を調整することで、タイバー５０とネジ孔１６の開口部分とを一直線状に配置することができる。
【００４４】
また、本実施形態の補強土壁構造の構造体１００によれば、各平板部材２４，２６は、基礎部材２２が備える２つの板状部分２１，２３に固定されている。そのため、各平板部材２４，２６が、基礎部材２２のいずれか一方の板状部分のみに固定されている場合に比べて、各平板部材２４，２６を強固に支持することができる。
【００４５】
また、本実施形態の補強土壁構造の構造体１００によれば、タイバー５０に第１ヒンジ部５６が設けられている。そのため、盛土８６が沈下した場合でも、第１ヒンジ部５６により盛土８６の沈下にタイバー５０を追随させることができる。
【００４６】
また、本実施形態の補強土壁構造の構造体１００によれば、タイバー５０に第２ヒンジ部５８が設けられている。そのため、盛土８６の地盤バネによりタイバー５０に若干の水平方向の曲げモーメントが作用した場合でも、第２ヒンジ部５８により曲げモーメントを緩和することができる。
【００４７】
Ｂ．変形例：
本明細書で開示される技術は、上述の実施形態に限られるものではなく、その要旨を逸脱しない範囲において種々の形態に変形することができ、例えば次のような変形も可能である。
【００４８】
上記実施形態では、タイバー５０の軸延長線ＬＡ上に、ネジ孔１６の開口部分が位置するように、コネクタ２０の基礎部材２２に形成される挿通孔３２，３４と、一対の平板部材２４，２６に形成される挿通孔３６，３８との形成位置が調整される例を示したが、これに限られない。ネジ孔１６の開口部分は、タイバー５０の軸延長線ＬＡ近傍に位置していれば、すなわち、タイバー５０の略軸延長線上に位置してれば、必ずしもタイバー５０の軸延長線ＬＡ上に位置していなくてもよい。ここで、「タイバー５０の略軸延長線上に位置する」とは、例えば、ネジ孔１６の開口部分と一対の平板部材２４，２６に形成される挿通孔３６，３８（あるいは、挿通孔３６，３８を挿通するボルト４４）とを結ぶ連結直線ＬＢと、タイバー５０の軸延長線ＬＡとのなす角が、１０°以下であることを意味する。
【００４９】
上記実施形態では、コネクタ２０に上側カバー部２８や下側カバー部３０が設けられている例を示したが、上側カバー部２８と下側カバー部３０との少なくとも一方は設けられなくてもよい。
【００５０】
上記実施形態では、１つのコネクタ２０が、上下方向に積層して配置される２つの壁面材１２の境界部分の背面１４側に配置され、２つの壁面材１２の両方に固定される例を示したが、これに限られない。例えば、コネクタ２０は、１つの壁面材１２の中央部の背面１４側に配置され、この１つの壁面材１２にのみ固定されてもよい。
【００５１】
上記実施形態では、コネクタ２０の基礎部材２２が、上下方向に直交する断面形状がＬ字型の鋼材であり、一対の平板部材２４，２６が、基礎部材２２の２つの板状部分２１，２３に固定されている例を示したが、これに限られない。例えば、基礎部材２２は、上下方向に直交する断面形状がＵ字型の鋼材であり、一対の平板部材２４，２６が、基礎部材２２の３つの板状部分に固定されていてもよい。
【００５２】
上記実施形態では、コネクタ２０が壁面材１２に固定される固定部として、壁面材１２の背面１４上に位置するネジ孔１６の開口部分を示したが、これに限られない。例えば、壁面材１２の背面１４上に、水平方向に複数のネジ孔１６が設けられている場合には、これらのネジ孔１６を結ぶ線分上の任意の点を固定部としてもよい。また、例えば、コネクタ２０が壁面材１２に対して、所定の面積を有する領域により固定されている場合には、その領域内の任意の点を固定部としてもよい。
【００５３】
上記実施形態では、タイバー５０の前端５２を水平方向に回転可能に支持する支持部として、一対の平板部材２４，２６に形成された挿通孔３６，３８に挿通されるボルト４４を示したがこれに限られない。例えば、一対の平板部材２４，２６の間に鉛直方向に延びる棒状部材が溶接されており、タイバー５０の前端５２がこの棒状部材に支持されている場合には、この棒状部材を支持部としてもよい。
【００５４】
上記実施形態では、コネクタ２０を壁面材１２に固定した後に、コネクタ２０にタイバー５０を接続する例を示したが、これに限られず、壁面材１２に対してタイバー５０が取り付けられたコネクタ２０を固定してもよい。
【００５５】
上記実施形態では、コネクタ２０に対してアンカープレート６０が取り付けられたタイバー５０を接続する例を示したが、これに限られず、コネクタ２０にタイバー５０を接続した後に、タイバー５０にアンカープレート６０が取り付けられてもよい。
【００５６】
上記実施形態では、コネクタ２０にタイバー５０を接続した後に、タイバー５０の設定位置を調整する例を示したが、これに限られず、タイバー５０の設定位置を調整した後に、設定位置が調整されたタイバー５０をコネクタ２０に接続してもよい。
【符号の説明】
【００５７】
１０：擁壁  １２：壁面材  １６：ネジ孔  ２０：コネクタ  ２２：基礎部材  ２４，２６：平板部材  ５０：タイバー  ５５：前側棒状部分  ５６：第１ヒンジ部  ５７：後側棒状部分  ５８：第２ヒンジ部  ５９：中間棒状部分  ６０：アンカープレート  ８６：盛土  １００：構造体  ＬＡ：軸延長線
【図１】
0006796821.tif 000002
【図２】
0006796821.tif 000003
【図３】
0006796821.tif 000004
【図４】
0006796821.tif 000005
【図５】
0006796821.tif 000006